(57)【要約】【課題】ＣＣＦＬにおけるカタホリシス現象の回避と劣化の加速を防止することが可能な表示装置を提供する。【解決手段】冷陰極型蛍光ランプを光源として用いた表示装置であって、冷陰極型蛍光ランプの一端が他端より上方に配置された状態を検出する傾斜検出手段と、傾斜検出手段によって、冷陰極型蛍光ランプの一端が他端より上方に配置された状態が検出された場合に、冷陰極型蛍光ランプの発光輝度を抑制するように制御する制御手段とを備えた。【選択図】図１
2008116815.tif 000002
【特許請求の範囲】
【請求項１】
冷陰極型蛍光ランプを光源として用いた表示装置であって、
前記冷陰極型蛍光ランプの一端が他端より上方に配置された状態を検出する傾斜検出手段と、
前記傾斜検出手段によって、前記冷陰極型蛍光ランプの一端が他端より上方に配置された状態が検出された場合に、前記冷陰極型蛍光ランプの発光輝度を抑制するように制御する制御手段と
を備えたことを特徴とする表示装置。
【請求項２】
冷陰極型蛍光ランプを光源として用いた表示装置であって、
前記表示装置の筐体内部温度を検出する温度検出手段と、
前記冷陰極型蛍光ランプの点灯開始からの経過時間を計測する時間計測手段と、
前記冷陰極型蛍光ランプの一端が他端より上方に配置された状態を検出する傾斜検出手段と、
前記傾斜検出手段によって、前記冷陰極型蛍光ランプの一端が他端より上方に配置された状態が検出された場合に、前記冷陰極型蛍光ランプの点灯開始時点と現時点との筐体内部温度差及び前記経過時間に基づいて、前記冷陰極型蛍光ランプの飽和温度を予測し、前記飽和温度に応じて前記冷陰極型蛍光ランプの発光輝度を抑制するように制御する制御手段と
を備えたことを特徴とする表示装置。
【請求項３】
前記筐体の外部温度を検出する外部温度検出手段をさらに備え、
前記制御手段は、現時点の前記筐体外部温度と前記筐体内部温度との温度差に応じて、前記予測した飽和温度を補正することを特徴とする請求項２に記載の表示装置。
【請求項４】
冷陰極型蛍光ランプを光源として用いた表示装置であって、
前記冷陰極型蛍光ランプの一端が他端より上方に配置された状態を検出する傾斜検出手段と、
前記冷陰極型蛍光ランプの温度を検出する温度検出手段と、
前記傾斜検出手段によって、前記冷陰極型蛍光ランプの一端が他端より上方に配置された状態が検出された場合に、前記温度検出手段によって検出した温度に応じて前記冷陰極型蛍光ランプの発光輝度を抑制するように制御する制御手段と
を備えたことを特徴とする表示装置。
【請求項５】
冷陰極型蛍光ランプを光源として用いた表示装置であって、
前記冷陰極型蛍光ランプの一端の温度を検出する第１の温度検出手段と、
前記冷陰極型蛍光ランプの他端の温度を検出する第２の温度検出手段と、
前記第１の温度検出手段によって検出した温度と、前記第２の温度検出手段によって検出した温度との温度差に応じて前記冷陰極型蛍光ランプの発光輝度を抑制するように制御する制御手段と
を備えたことを特徴とする表示装置。
【請求項６】
複数の冷陰極型蛍光ランプのそれぞれに前記第１及び第２の温度検出手段が備えられ、
前記制御手段は、それぞれの冷陰極型蛍光ランプの両端の温度差のうち、最大温度差の冷陰極型蛍光ランプの発光輝度を制御すとともに、最大温度差以外の冷陰極型蛍光ランプの輝度制御を、前記最大温度差の冷陰極型蛍光ランプの発光輝度に合わせるように発光輝度を制御することを特徴とする請求項５に記載の表示装置。
【請求項７】
前記制御手段により前記冷陰極型蛍光ランプの発光輝度の制御が行われた場合に、発光輝度制御が実施されたことを通知するメッセージを表示するメッセージ表示手段をさらに備えたことを特徴とする請求項１から５のいずれかに記載の表示装置。
【請求項８】
冷陰極型蛍光ランプを光源として用いた表示装置における輝度制御方法であって、
前記冷陰極型蛍光ランプの一端が他端より上方に配置された状態を検出する傾斜検出ステップと、
前記傾斜検出ステップによって、前記冷陰極型蛍光ランプの一端が他端より上方に配置された状態が検出された場合に、前記冷陰極型蛍光ランプの発光輝度を抑制するように制御する制御ステップと
を有することを特徴とする輝度制御方法。
【請求項９】
冷陰極型蛍光ランプを光源として用いた表示装置における輝度制御方法であって、
前記表示装置の筐体内部温度を検出する温度検出ステップと、
前記冷陰極型蛍光ランプの点灯開始からの経過時間を計測する時間計測ステップと、
前記冷陰極型蛍光ランプの一端が他端より上方に配置された状態を検出する傾斜検出ステップと、
前記傾斜検出ステップによって、前記冷陰極型蛍光ランプの一端が他端より上方に配置された状態が検出された場合に、前記冷陰極型蛍光ランプの点灯開始時点と現時点との筐体内部温度差及び前記経過時間に基づいて、前記冷陰極型蛍光ランプの飽和温度を予測し、前記飽和温度に応じて前記冷陰極型蛍光ランプの発光輝度を抑制するように制御する制御ステップと
を有することを特徴とする輝度制御方法。
【請求項１０】
冷陰極型蛍光ランプを光源として用いた表示装置における輝度制御方法であって、
前記冷陰極型蛍光ランプの一端が他端より上方に配置された状態を検出する傾斜検出ステップと、
前記冷陰極型蛍光ランプの温度を検出する温度検出ステップと、
前記傾斜検出ステップによって、前記冷陰極型蛍光ランプの一端が他端より上方に配置された状態が検出された場合に、前記温度検出ステップによって検出した温度に応じて前記冷陰極型蛍光ランプの発光輝度を抑制するように制御する制御ステップと
を有することを特徴とする輝度制御方法。
【請求項１１】
冷陰極型蛍光ランプを光源として用いた表示装置における輝度制御方法であって、
前記冷陰極型蛍光ランプの一端の温度を検出する第１の温度検出ステップと、
前記冷陰極型蛍光ランプの他端の温度を検出する第２の温度検出ステップと、
前記第１の温度検出ステップによって検出した温度と、前記第２の温度検出ステップによって検出した温度との温度差に応じて前記冷陰極型蛍光ランプの発光輝度を抑制するように制御する制御ステップと
を有することを特徴とする輝度制御方法。
【発明の詳細な説明】
【技術分野】
【０００１】
本発明は、画像表示装置の輝度制御方法に関するものであり、より詳しくはパーソナルコンピュータ（ＰＣ）やワークステーション（ＷＳ）やテレビジョン（ＴＶ）などで使われる所定のフォーマットを有する画像信号を表示する液晶ディスプレイ（ＬＣＤ）の輝度制御方法に関する。
【背景技術】
【０００２】
従来から液晶ディスプレイにおける光源として、ＣＣＦＬ（Cold Cathode Fluorescent Lamp：冷陰極型蛍光ランプ）が最も多く用いられている。ＣＣＦＬの発光原理は、オフィスや家庭で一般的に使用されている蛍光灯と同じであり、図１０に示すように、ランプ内に存在する蒸気化水銀（Ｈｇ＋）と電子（ｅ−）が化学反応を起こすことにより紫外線を放出し、この紫外線がランプ内側に塗られた蛍光体を通して光として見えている。ランプ内の水銀は、電極より飛散した金属物質と合金を形成して蒸気圧の低い水銀合金（アマルガム）となり、ランプ内の電極や蛍光体にこの合金の膜がつくられる。ランプ内の水銀が全て合金となった時が全く光らない状態であり、この時がランプの寿命となる。
【０００３】
なお、先行技術として、冷陰極型蛍光ランプ温度に基づいてランプに流れる電流を制御することにより冷陰極型蛍光ランプの輝度を起動直後から安定的に制御することができるカラーテレビドアホン装置が知られている（例えば、特許文献１（図３）参照）。
【特許文献１】特開２００１−１６９２７３号公報
【発明の開示】
【発明が解決しようとする課題】
【０００４】
ところで、ＣＣＦＬ内の電極以外の部分で温度の傾きがあったり、電極間に温度差があると、図１１に示すように、ＣＣＦＬ内の蒸気化水銀が温度の低い方へ偏り、温度が高い電極側では希ガス状態での放電となって輝度が低下する現象が起きる。本現象をカタホリシス現象と呼び、液晶パネルとしては輝度ムラ・色ムラとして見えることになるとともに、ＣＣＦＬの劣化が加速されることになる。
【０００５】
特に高輝度用のＣＣＦＬにおいて、その配置が垂直となった場合、両電極は上下の位置関係となり、最大輝度で点灯した場合、点灯時の熱上昇によって、ランプ上部と下部で温度差が拡がり、カタホリシス現象が発生しやすくなるという問題がある。また、ＣＣＦＬを光源として使用する液晶パネルの大型化、ワイド化に伴って、ＣＣＦＬの形状が軸方向に伸びる傾向にあり、垂直に配置した場合、電極間の温度差がさらに拡がりやすくなり、カタホリシス現象が発生し易い状態になるという問題がある。
【０００６】
本発明は、このような事情に鑑みてなされたもので、ＣＣＦＬにおけるカタホリシス現象の回避と劣化の加速を防止することが可能な表示装置及び輝度制御方法を提供することを目的とする。
【課題を解決するための手段】
【０００７】
本発明は、冷陰極型蛍光ランプを光源として用いた表示装置であって、前記冷陰極型蛍光ランプの一端が他端より上方に配置された状態を検出する傾斜検出手段と、前記傾斜検出手段によって、前記冷陰極型蛍光ランプの一端が他端より上方に配置された状態が検出された場合に、前記冷陰極型蛍光ランプの発光輝度を抑制するように制御する制御手段とを備えたことを特徴とする。
【０００８】
本発明は、冷陰極型蛍光ランプを光源として用いた表示装置であって、前記表示装置の筐体内部温度を検出する温度検出手段と、前記冷陰極型蛍光ランプの点灯開始からの経過時間を計測する時間計測手段と、前記冷陰極型蛍光ランプの一端が他端より上方に配置された状態を検出する傾斜検出手段と、前記傾斜検出手段によって、前記冷陰極型蛍光ランプの一端が他端より上方に配置された状態が検出された場合に、前記冷陰極型蛍光ランプの点灯開始時点と現時点との筐体内部温度差及び前記経過時間に基づいて、前記冷陰極型蛍光ランプの飽和温度を予測し、前記飽和温度に応じて前記冷陰極型蛍光ランプの発光輝度を抑制するように制御する制御手段とを備えたことを特徴とする。
【０００９】
本発明は、前記筐体の外部温度を検出する外部温度検出手段をさらに備え、前記制御手段は、現時点の前記筐体外部温度と前記筐体内部温度との温度差に応じて、前記予測した飽和温度を補正することを特徴とする。
【００１０】
本発明は、冷陰極型蛍光ランプを光源として用いた表示装置であって、前記冷陰極型蛍光ランプの一端が他端より上方に配置された状態を検出する傾斜検出手段と、前記冷陰極型蛍光ランプの温度を検出する温度検出手段と、前記傾斜検出手段によって、前記冷陰極型蛍光ランプの一端が他端より上方に配置された状態が検出された場合に、前記温度検出手段によって検出した温度に応じて前記冷陰極型蛍光ランプの発光輝度を抑制するように制御する制御手段とを備えたことを特徴とする。
【００１１】
本発明は、冷陰極型蛍光ランプを光源として用いた表示装置であって、前記冷陰極型蛍光ランプの一端の温度を検出する第１の温度検出手段と、前記冷陰極型蛍光ランプの他端の温度を検出する第２の温度検出手段と、前記第１の温度検出手段によって検出した温度と、前記第２の温度検出手段によって検出した温度との温度差に応じて前記冷陰極型蛍光ランプの発光輝度を抑制するように制御する制御手段とを備えたことを特徴とする。
【００１２】
本発明は、複数の冷陰極型蛍光ランプのそれぞれに前記第１及び第２の温度検出手段が備えられ、前記制御手段は、それぞれの冷陰極型蛍光ランプの両端の温度差のうち、最大温度差の冷陰極型蛍光ランプの発光輝度を制御すとともに、最大温度差以外の冷陰極型蛍光ランプの輝度制御を、前記最大温度差の冷陰極型蛍光ランプの発光輝度に合わせるように発光輝度を制御することを特徴とする。
【００１３】
本発明は、前記制御手段により前記冷陰極型蛍光ランプの発光輝度の制御が行われた場合に、発光輝度制御が実施されたことを通知するメッセージを表示するメッセージ表示手段をさらに備えたことを特徴とする。
【００１４】
本発明は、冷陰極型蛍光ランプを光源として用いた表示装置における輝度制御方法であって、前記冷陰極型蛍光ランプの一端が他端より上方に配置された状態を検出する傾斜検出ステップと、前記傾斜検出ステップによって、前記冷陰極型蛍光ランプの一端が他端より上方に配置された状態が検出された場合に、前記冷陰極型蛍光ランプの発光輝度を抑制するように制御する制御ステップとを有することを特徴とする。
【００１５】
本発明は、冷陰極型蛍光ランプを光源として用いた表示装置における輝度制御方法であって、前記表示装置の筐体内部温度を検出する温度検出ステップと、前記冷陰極型蛍光ランプの点灯開始からの経過時間を計測する時間計測ステップと、前記冷陰極型蛍光ランプの一端が他端より上方に配置された状態を検出する傾斜検出ステップと、前記傾斜検出ステップによって、前記冷陰極型蛍光ランプの一端が他端より上方に配置された状態が検出された場合に、前記冷陰極型蛍光ランプの点灯開始時点と現時点との筐体内部温度差及び前記経過時間に基づいて、前記冷陰極型蛍光ランプの飽和温度を予測し、前記飽和温度に応じて前記冷陰極型蛍光ランプの発光輝度を抑制するように制御する制御ステップとを有することを特徴とする。
【００１６】
本発明は、冷陰極型蛍光ランプを光源として用いた表示装置における輝度制御方法であって、前記冷陰極型蛍光ランプの一端が他端より上方に配置された状態を検出する傾斜検出ステップと、前記冷陰極型蛍光ランプの温度を検出する温度検出ステップと、前記傾斜検出ステップによって、前記冷陰極型蛍光ランプの一端が他端より上方に配置された状態が検出された場合に、前記温度検出ステップによって検出した温度に応じて前記冷陰極型蛍光ランプの発光輝度を抑制するように制御する制御ステップとを有することを特徴とする。
【００１７】
本発明は、冷陰極型蛍光ランプを光源として用いた表示装置における輝度制御方法であって、前記冷陰極型蛍光ランプの一端の温度を検出する第１の温度検出ステップと、前記冷陰極型蛍光ランプの他端の温度を検出する第２の温度検出ステップと、前記第１の温度検出ステップによって検出した温度と、前記第２の温度検出ステップによって検出した温度との温度差に応じて前記冷陰極型蛍光ランプの発光輝度を抑制するように制御する制御ステップとを有することを特徴とする。
【発明の効果】
【００１８】
本発明によれば、冷陰極型蛍光ランプにおいてカタホリシス現象が発生しやすい状態を検出した場合に、冷陰極型蛍光ランプの発光輝度を抑制するように制御して、発熱量を抑えることにより両電極間における温度差が拡大することを防止するようにしたため、カタホリシス現象の発生を回避でき、冷陰極型蛍光ランプによる輝度ムラ、色ムラが発生することを防止することができるという効果が得られる。また、冷陰極型蛍光ランプの劣化が加速することを抑えられるため、長期的に安定した輝度、色を保った点灯を行うことができる表示装置を実現することができるという効果が得られる。
【発明を実施するための最良の形態】
【００１９】
＜第１の実施形態＞
以下、本発明の第１の実施形態による表示装置を図面を参照して説明する。図１は同実施形態の構成を示すブロック図である。この図において、符号１は、パーソナルコンピュータ（ＰＣ）、ワークステーション（ＷＳ）、テレビジョン（ＴＶ）などで使われる所定のフォーマットを有する画像信号を表示する液晶ディスプレイ（ＬＣＤ）の光源（バックライト）に使用する冷陰極型蛍光ランプ（以下、ＣＣＦＬと称する）であり、液晶ディスプレイの画面の大きさに応じて、複数のＣＣＦＬ１が配置されて液晶でディスプレイを背面から照明する面光源２を構成している。図１においては、説明を簡単にするために、液晶パネルや描画処理を行う回路は省略してある。符号３は、各々のＣＣＦＬ１の発光輝度を制御するインバータ回路である。符号４は、表示装置の画面表示動作や面光源２を構成する各ＣＣＦＬ１の点灯状態を制御する制御部である。符号５は、ＣＣＦＬ１の傾き度合いを検出する傾斜センサである。傾斜センサ５は、ＣＣＦＬ１の一端が他端より上方に配置された状態を検出するもので、ＣＣＦＬ１の軸方向の水平に対する角度を出力するセンサである。符号８１は、各ＣＣＦＬ１の発光輝度を制御するための制御値が記憶された制御値テーブルである。制御値テーブル８１には、各ＣＣＦＬ１が水平に配置されている状態において、最大輝度で発光するための制御値と、各ＣＣＦＬ１が水平でない状態（ＣＣＦＬ１の一端が他端より上方に配置された状態）において、最大輝度による点灯が指示された場合でも発光輝度を抑制するように制御するための制御値とが予め記憶されている。
【００２０】
ここで、図９を参照して、図１に示す表示装置の構造を説明する。表示装置は、縦横比が１でない液晶パネルが用いられ、長い方の辺とＣＣＦＬ１の軸方向が一致するようにＣＣＦＬ１が複数配置された光源を背面に備えており、使用者の必要に応じて、画面（液晶パネル）を９０°回転することにより、横長の画面（図９（ａ）参照）と縦長の画面（図９（ｂ）参照）に切り替えることが可能に構成されている。したがって、横長画面で使用する場合、各ＣＣＦＬ１の軸方向は水平方向となり、縦長画面で使用する場合、各ＣＣＦＬ１の軸方向は垂直方向となる。ただし、一般的に表示装置は、画面の仰角を調整する機構を備えていることが多いため、仰角を垂直から水平方向に調整した場合、ＣＣＦＬ１の軸方向は完全に垂直（重力方向）にならない場合がある。しかし、画面の仰角を水平にできない構造であれば、縦長画面時においては、各ＣＣＦＬ１の一方の端部は、他方の端部より上方に配置されることになる。したがって、画面の仰角を水平にすることができない構造であれば、図１に示す傾斜センサ５は、縦長画面であるか横長画面であるか（ＣＣＦＬ１が水平と見なせる状態か水平でない状態か）を検出できるセンサであってもよい。
【００２１】
次に、図２を参照して、図１に示す表示装置の各ＣＣＦＬ１の点灯制御を行う動作を説明する。図２は、図１に示す表示装置の動作を示すフローチャートである。まず、表示装置の電源が投入されて、面光源２を発光させる必要がある場合に、制御部４は、傾斜センサ５の出力を読み込む（ステップＳ１）。そして、制御部４は、読み込んだ傾斜センサ５の出力値に基づいて、ＣＣＦＬ１が垂直方向配置の状態であるか否かを判定する（ステップＳ２）。この判定は、前述したように、ＣＣＦＬ１の一端が他端より上方に配置された状態で、両電極間に温度差が生じ易い状態であるか否かを判定するものである。この判定の結果、ＣＣＦＬ１が垂直方向配置である場合、制御部４は、制御値テーブル８１から垂直方向配置時の制御値を読み出す（ステップＳ３）。一方、ＣＣＦＬ１が垂直方向配置でない場合、制御部４は、制御値テーブル８１から水平方向配置時の制御値を読み出す（ステップＳ４）。そして、制御部４は、読み出した制御値をインバータ回路３へ出力することにより点灯制御を実施する（ステップＳ５）。制御部４は、図２に示す処理動作を面光源２を発光させる必要がある場合において繰り返し実行する。
【００２２】
これによって、ＣＣＦＬ１が垂直方向配置の場合には、最大輝度点灯時の制御値が垂直方向配置時の制御値で輝度の調整が行われることになるため、ＣＣＦＬ１内の蒸気化水銀（Ｈｇ＋）は片方の電極へ偏ることなく存在するようになり、カタホリシス現象の発生を回避でき、安定した点灯を行うことが可能となるため、表示装置において、ＣＣＦＬ１による輝度ムラ、色ムラが発生することを防止することができる。
【００２３】
なお、制御値テーブル８１には、ＣＣＦＬ１の傾き度合い（縦長画面時の仰角）に応じた制御値を記憶しておき、傾斜センサ５によって仰角を検出し、この検出した仰角に応じた制御値によって点灯制御を行うようにしてもよい。
【００２４】
＜第２の実施形態＞
次に、第２の実施形態による表示装置を図面を参照して説明する。図３は同実施形態の構成を示すブロック図である。この図において、図１に示す装置と同一の部分には同一の符号を付し、その説明を省略する。この図に示す表示装置が図１に示す装置と異なる点は、表示装置の外部温度（外気温）を検出する温度センサ６０と、表示装置の筐体内部の温度を検出する温度センサ６１と、経過時間を計測するタイマ７が新たに設けられ、制御値テーブル８２に記憶されている制御値が異なる点である。
【００２５】
次に、図４を参照して、図３に示す表示装置の動作を説明する。図４は、図３に示す表示装置の動作を示すフローチャートである。まず制御部４は、面光源２が点灯されると、現時点が電源投入後の最初の面光源点灯であるか否かを判定する（ステップＳ１１）。この判定は、電源が投入されても光源を点灯しない状態（パワーセーブモード）で使用する場合もあるため、使用開始後に初めて面光源２を点灯するか否かを判定するものである。この判定の結果、初めての点灯（消灯状態から点灯状態への移行）であれば、制御部４は、温度センサ６１の出力を読み込み、この出力値（点灯開始時の筐体内部温度）を内部に保持する（ステップＳ１２）。そして制御部４は、タイマ７に対して、点灯経過時間の計測開始を指示する。これを受けて、タイマ７は、時間計測を開始する（ステップＳ１３）。この温度センサ６１の出力を読み取る処理と、点灯経過時間の計測開始処理は、面光源２の点灯直後のみに実行される。
【００２６】
次に、制御部４は、傾斜センサ５の出力を読み込む（ステップＳ１４）。そして、制御部４は、読み込んだ傾斜センサ５の出力値に基づいて、ＣＣＦＬ１が垂直方向配置の状態であるか否かを判定する（ステップＳ１５）。この判定の結果、ＣＣＦＬ１が垂直方向配置でない場合、制御部４は、カタホリシス現象が発生しにくい状況と見なし、ステップＳ１１に戻って、処理を繰り返す。
【００２７】
一方、判定の結果、ＣＣＦＬ１が垂直方向配置である場合、制御部４は、タイマ７から点灯経過時間を読み込む（ステップＳ１６）とともに、温度センサ６０の出力（現時点の筐体内部温度）を読み込む（ステップＳ１７）。そして、制御部４は、点灯開始時に読み込んで内部に保持しておいた温度センサ６１の出力値（点灯開始時の筐体内部温度）と現時点の筐体内部温度との温度差及び点灯経過時間とに基づいて、ＣＣＦＬ１の温度を予測することにより、ＣＣＦＬ１の飽和温度を求める（ステップＳ１８）。この飽和温度の算出は、点灯開始時と現時点の筐体内部温度差と経過時間とから決まる飽和温度の関係を制御部４内部に予め保持しておき、この保持しておいた飽和温度を、温度差と点灯経過時間とに基づいて選択することによって求める。
【００２８】
次に、制御部４は、温度センサ６０の出力を読み込むことにより外気温度を読み取る（ステップＳ１９）。そして制御部４は、この外気温度と現時点の筐体内部温度との温度差に基づいて、先に求めた飽和温度の補正を行う（ステップＳ２０）。この補正は、外気温度と現時点の筐体内部温度との温度差と求めた飽和温度値とから決まる補正値（正または負の値）を制御部４内部に予め保持しておき、この保持しておいた補正値を選択し、この補正値を先に求めた飽和温度に加算することによって行う。ＣＣＦＬ１の飽和温度は、外気温度によって変化する（低温時は下がり、高温時は上がる）ため、この補正を行うことによって予測した飽和温度値の精度を向上することができる。
【００２９】
続いて、制御部４は、補正した飽和温度がカタホリシス現象が発生する温度であるか否かを判定する（ステップＳ２１）。この判定の結果、求めた飽和温度がカタホリシス現象が発生する温度でない場合、制御部４は、点灯制御を実施する必要がないと見なしてステップＳ１１へ戻り、処理を繰り返す。
【００３０】
一方、求めた飽和温度が、カタホリシス現象が発生する可能性が高い温度である場合、制御部４は、求めた飽和温度に対応する制御値を制御値テーブル８２から読み出す（ステップＳ２２）。そして、制御部４は、読み出した制御値をインバータ回路３へ出力することにより点灯制御を実施する（ステップＳ２３）。そして、制御部４は、ステップＳ１１へ戻り、前述の制御動作を繰り返す。
【００３１】
なお、温度センサ６０の出力に基づいて、飽和温度を補正する処理は必要に応じて行えばよく、必ずしも実行する必要はない。この飽和温度の補正は、外気温が極端に低いまたは高い場所、または外気温の変動が大きい場所において表示装置を使用する場合に有効である。
【００３２】
これによって、ＣＣＦＬ１が垂直方向配置の場合には、ＣＣＦＬ１の予測飽和温度に応じた制御値で輝度の調整が行われることになるため、ＣＣＦＬ１内の蒸気化水銀（Ｈｇ＋）は片方の電極へ偏ることなく存在するようになり、カタホリシス現象の発生を回避でき、安定した点灯を行うことが可能となるため、表示装置において、ＣＣＦＬ１による輝度ムラ、色ムラが発生することを防止することができる。
【００３３】
＜第３の実施形態＞
次に、第３の実施形態による表示装置を図面を参照して説明する。図５は同実施形態の構成を示すブロック図である。この図において、図３に示す装置と同一の部分には同一の符号を付し、その説明を省略する。この図に示す表示装置が図３に示す装置と異なる点は、温度センサ６１と、タイマ７に代えて、面光源２を構成するＣＣＦＬ１近傍の温度を検出する温度センサ６２が新たに設けられ、制御値テーブル８３に記憶されている制御値が異なる点である。
【００３４】
次に、図６を参照して、図５に示す表示装置の動作を説明する。図６は、図５に示す表示装置の動作を示すフローチャートである。まず、表示装置の電源が投入されて、面光源２を発光させる必要がある場合に、制御部４は、傾斜センサ５の出力を読み込む（ステップＳ３１）。そして、制御部４は、読み込んだ傾斜センサ５の出力値に基づいて、ＣＣＦＬ１が垂直方向配置の状態であるか否かを判定する（ステップＳ３２）。この判定の結果、ＣＣＦＬ１が垂直方向配置である場合、制御部４は、温度センサ６２の出力を読み込む（ステップＳ３３）。そして、制御部４は、制御値テーブル８３から垂直方向配置時のＣＣＦＬ１温度に応じた制御値を読み出す（ステップＳ３４）。一方、ＣＣＦＬ１が垂直方向配置でない場合、制御部４は、制御値テーブル８３から水平方向配置時の制御値を読み出す（ステップＳ３５）。そして、制御部４は、読み出した制御値をインバータ回路３へ出力することにより点灯制御を実施する（ステップＳ３６）。制御部４は、図６に示す処理動作を面光源２を発光させる必要がある場合において繰り返し実行する。
【００３５】
これによって、ＣＣＦＬ１が垂直方向配置の場合には、ＣＣＦＬ１の検出温度に応じた制御値で輝度の調整が行われることになるため、ＣＣＦＬ１内の蒸気化水銀（Ｈｇ＋）は片方の電極へ偏ることなく存在するようになり、カタホリシス現象の発生を回避でき、安定した点灯を行うことが可能となるため、表示装置において、ＣＣＦＬ１による輝度ムラ、色ムラが発生することを防止することができる。
【００３６】
＜第４の実施形態＞
次に、第４の実施形態による表示装置を図面を参照して説明する。図７は同実施形態の構成を示すブロック図である。この図において、図５に示す装置と同一の部分には同一の符号を付し、その説明を省略する。この図に示す表示装置が図５に示す装置と異なる点は、傾斜センサ５と温度センサ６２に代えて、面光源２を構成するＣＣＦＬ１両端（両電極）近傍の温度をそれぞれ検出する温度センサ６３と温度センサ６４が新たに設けられ、制御値テーブル８３に記憶されている制御値が異なる点である。
【００３７】
次に、図８を参照して、図７に示す表示装置の動作を説明する。図８は、図７に示す表示装置の動作を示すフローチャートである。まず、表示装置の電源が投入されて、面光源２を発光させる必要がある場合に、制御部４は、一方の電極側に設けられた温度センサ６３の出力を読み込む（ステップＳ４１）とともに、他方の電極側に設けられた温度センサ６４の出力を読み込む（ステップＳ４２）。そして、制御部４は、読み込んだ２つの温度センサ６３、６４の出力値の差から両端間に温度差があるか否かを判定する（ステップＳ４３）。この判定は、２つの温度センサ６３、６４の検出誤差を考慮して、両端の温度に差があると認められる場合に、両端間に温度差があると判定するものである。
【００３８】
この判定の結果、両端間に温度差がある場合、制御部４は、ＣＣＦＬ１の両端間の温度差に応じた制御値を制御値テーブル８４から読み出す（ステップＳ４４）。一方、両端間に温度差がない場合、制御部４は、制御値テーブル８３から温度差がない場合の制御値を読み出す（ステップＳ４５）。そして、制御部４は、読み出した制御値をインバータ回路３へ出力することにより点灯制御を実施する（ステップＳ３６）。制御部４は、図８に示す処理動作を面光源２を発光させる必要がある場合において繰り返し実行する。
【００３９】
これによって、ＣＣＦＬ１の両端間に温度差がある場合には、ＣＣＦＬ１の両端間の温度差に応じた制御値で輝度の調整が行われることになるため、ＣＣＦＬ１内の蒸気化水銀（Ｈｇ＋）は片方の電極へ偏ることなく存在するようになり、カタホリシス現象の発生を回避でき、安定した点灯を行うことが可能となるため、表示装置において、ＣＣＦＬ１による輝度ムラ、色ムラが発生することを防止することができる。特に、ＣＣＦＬ１の両端近傍の温度が検出できるように、２つの温度センサ６３、６４を設け、ＣＣＦＬ１の両端間に温度差が発生したか否かを判定して、点灯制御を行うようにしたため、使用環境等の影響によってＣＣＦＬ１の両端間に温度差が生じた場合であっても、カタホリシス現象により輝度ムラが発生しないように最大輝度点灯時の発光輝度が制御されて安定した点灯を行うことが可能となる。
【００４０】
なお、一方の端部近傍の温度検出する温度センサ６３と他方の端部近傍の温度検出する温度センサ６４を、面光源２を構成する全てのＣＣＦＬ１のそれぞれに設け、各々のＣＣＦＬ１の両端間の温度差を検出して、発光輝度の制御を行うようにしてもよい。この場合、面光源２を構成するＣＣＦＬ１のうち、温度差が最も大きいＣＣＦＬ１を特定し、このＣＣＦＬ１の発光輝度を低下させる点灯制御を行い、この温度差が最も大きいＣＣＦＬ１以外のＣＣＦＬ１の発光輝度は、温度差が最も大きいＣＣＦＬ１の発光輝度に合わせるように点灯制御を行う。このようにすることにより、面光源２を構成するＣＣＦＬ１の個体差によって輝度ムラが発生することを防止することができる。また、面光源２を構成するＣＣＦＬ１の軸方向が一致していない面光源の点灯制御も行うことが可能となる。
【００４１】
なお、前述した実施形態において、ＣＣＦＬ１のカタホリシス現象が発生しないように、最大輝度での点灯を制限する制御を実施した場合、画面の輝度が低下することになり、使用者は輝度が変化したことに違和感を覚える可能性があるため、図９（ｂ）に示すように、制御部４は、ＯＳＤ（On Screen Display）表示機能を用いて、使用者に対してＣＣＦＬの点灯を制限したことを通知するメッセージを表示するようにしてもよい。これにより、画面の輝度低下が発生しても、使用者は表示装置内で制限処理が自動的に行われたことを認識することができる。
【００４２】
このように、ＣＣＦＬにおいてカタホリシス現象が発生しやすい状態を検出した場合に、ＣＣＦＬ発光輝度を抑制するように制御して、発熱量を抑えることにより両電極間における温度差が拡大することを防止するようにしたため、表示装置の使用者は意識してＣＣＦＬの点灯状態を手動で調節する必要がなく、利用可能な最大輝度の点灯状態で使用することが可能となる。さらに、ＣＣＦＬの劣化が加速することを抑えられるため、長期的に安定した輝度、色を保った表示装置を実現することができる。特に、表示装置に表示された画像を用いて種々の診断を行うような作業を行う場合には、全体の輝度が低下するよりも輝度ムラの発生が問題となることが多く、全体の発光輝度を低くなっても輝度ムラを無くすことが重要であるため、このような場面においては、前述した点灯制御は最も有効である。
【００４３】
なお、図１における処理部の機能を実現するためのプログラムをコンピュータ読み取り可能な記録媒体に記録して、この記録媒体に記録されたプログラムをコンピュータシステムに読み込ませ、実行することにより発光輝度制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４５】
【図１】本発明の第１の実施形態の構成を示すブロック図である。
【図２】図１に示す装置の動作を示すフローチャートである。
【図３】本発明の第２の実施形態の構成を示すブロック図である。
【図４】図３に示す装置の動作を示すフローチャートである。
【図５】本発明の第３の実施形態の構成を示すブロック図である。
【図６】図５に示す装置の動作を示すフローチャートである。
【図７】本発明の第４の実施形態の構成を示すブロック図である。
【図８】図７に示す装置の動作を示すフローチャートである。
【図９】点灯制限を実施したことを通知するメッセージの表示例を示す説明図である。
【図１０】ＣＣＦＬの発光原理を示す説明図である。
【図１１】カタホリシス現象を示す説明図である。
【符号の説明】
【００４６】
１・・・ＣＣＦＬ（Cold Cathode Fluorescent Lamp）、２・・・面光源、３・・・インバータ回路、４・・・制御部、５・・・傾斜センサ、６１、６２、６３、６４・・・温度センサ、７・・・タイマ、８１、８２、８３、８４・・・制御値テーブル
【図１】
2008116815.tif 000003
【図２】
2008116815.tif 000004
【図３】
2008116815.tif 000005
【図４】
2008116815.tif 000006
【図５】
2008116815.tif 000007
【図６】
2008116815.tif 000008
【図７】
2008116815.tif 000009
【図８】
2008116815.tif 000010
【図９】
2008116815.tif 000011
【図１０】
2008116815.tif 000012
【図１１】
2008116815.tif 000013